(57)【要約】【課題】  小型船舶の動作情報に基づき前記小型船舶の状態を判別することができる、小型船舶運航管理システム、小型船舶用運航管理ユニットおよび小型船舶運航管理サーバを提供する。【解決手段】  小型船舶用運航管理ユニット２が、小型船舶１００の動静情報を検出する動静情報検出手段３と、小型船舶１００の位置情報を検出する位置情報検出手段４と、動静情報および／または位置情報を運航管理サーバ２０に送信する情報通信手段５とを有するとともに、小型船舶用運航管理ユニット２または小型船舶運航管理サーバ２０の少なくともいずれか一方には、動静情報検出手段３によって検出された動静情報および／または位置情報検出手段４によって検出された位置情報に基づき小型船舶１００の状態を判別する船舶状態判別手段６を有する。【選択図】  図２
2020013339.tif 000002
【特許請求の範囲】
【請求項１】
動力源として船外機を備えた小型船舶における位置情報を送信する小型船舶用運航管理ユニットと、この小型船舶用運航管理ユニットから送信される前記位置情報を取得して前記小型船舶の運航情報を管理する小型船舶運航管理サーバとを有する小型船舶運航管理システムであって、
前記小型船舶用運航管理ユニットが、
前記小型船舶の動静情報を検出する動静情報検出手段と、
前記小型船舶の位置情報を検出する位置情報検出手段と、
前記動静情報および／または前記位置情報を前記小型船舶運航管理サーバに送信する情報通信手段と
を有するとともに、
前記小型船舶用運航管理ユニットまたは前記小型船舶運航管理サーバの少なくともいずれか一方には、
前記動静情報検出手段によって検出された前記動静情報および／または前記位置情報検出手段によって検出された前記位置情報に基づき前記小型船舶の状態を判別する船舶状態判別手段を有する、前記小型船舶運航管理システム。
【請求項２】
前記船舶状態判別手段が、
前記動静情報検出手段から取得した動静情報が所定の停船判別用時間以上連続して所定の停船判別用動静情報値以下である場合に、前記小型船舶が海上における停船状態にあると判別する停船判別部と、
この停船判別部によって停船状態にあると判別された後に、前記動静情報が所定の静止判別用時間以上連続して所定の静止判別用動静情報値以下である場合に、前記小型船舶が帰港後に陸揚げされて静止状態にあると判別する静止判別部と
を有する、請求項１に記載の小型船舶運航管理システム。
【請求項３】
前記船舶状態判別手段が、
前記位置情報検出手段から取得した前記位置情報に基づき前記小型船舶の速度情報を算出するか、または前記動静情報検出手段から前記小型船舶の速度情報を取得する小型船舶速度取得部と、
この小型船舶速度取得部により取得した速度情報が所定の操業判別用速度範囲以内である場合に、前記小型船舶が捕獲対象物を探索するために低速で運航されている操業状態にあると判別する操業判別部と
を有する、請求項１または請求項２に記載の小型船舶運航管理システム。
【請求項４】
前記船舶状態判別手段が、
前記動静情報検出手段から取得した前記小型船舶の動作情報に基づき前記小型船舶の揺れの周波数を抽出する揺れ周波数抽出部と、
前記揺れ周波数抽出部により抽出された揺れの周波数が前記小型船舶の固有情報に基づき設定される落船判別用周波数値より大きい場合に、乗員が前記小型船舶から落船した状態にあると判別する乗員落船判別部と
を有する、請求項１から請求項３のいずれかに記載の小型船舶運航管理システム。
【請求項５】
前記船舶状態判別手段が、
前記位置情報検出手段から取得した前記位置情報に基づき前記小型船舶の船首方位情報を算出するか、または前記動静情報検出手段から前記小型船舶の船首方位情報を取得する船首方位情報取得部と、
前記位置情報検出手段から取得した前記位置情報に基づき前記小型船舶の進行方向を算出する進行方向算出部と、
前記船首方位情報取得部により取得した船首方位情報と前記進行方向算出部により算出した進行方向との角度差が所定の旋回判別用時間以上連続して所定の旋回判別用角度差値以上である場合に、乗員が落船したことにより舵を失った前記小型船舶が旋回状態にあると判別する乗員落船判別部と
を有する、請求項１から請求項４のいずれかに記載の小型船舶運航管理システム。
【請求項６】
前記船舶状態判別手段が、
前記動静情報検出手段によって検出された前記動静情報に基づき前記小型船舶の傾斜角度を算出または取得する傾斜角度取得部と、
この傾斜角度取得部により取得された前記傾斜角度が所定の転覆判別用時間以上連続して所定の転覆判別用傾斜角度値より大きい場合に、前記小型船舶が転覆状態にあると判別する転覆判別部と
を有する、請求項１から請求項５のいずれかに記載の小型船舶運航管理システム。
【請求項７】
前記船舶状態判別手段が、
前記動静情報検出手段から取得した動作情報に基づき前記小型船舶の揺れの周波数を抽出する周波数抽出部と、
前記周波数抽出部により抽出された揺れの周波数が、前記小型船舶の構造、想定される最大の乗員重量および想定される最大の積荷量により設定される過重判別用周波数値より小さい場合に、前記小型船舶の積荷量が過重状態にあると判別する過重判別部と
を有する、請求項１から請求項６のいずれかに記載の小型船舶運航管理システム。
【請求項８】
前記船舶状態判別手段が、
前記動静情報検出手段から取得した前記小型船舶の動静情報に基づき動静情報の変化量を算出する動静情報変化量算出部と、
この動静情報変化量算出部により算出された前記動静情報変化量が所定の波浪判別用動静情報変化量値より大きい場合に、前記小型船舶が波浪の中での運航状態にあると判別する波浪運航判別部と
を有する、請求項１から請求項７のいずれかに記載の小型船舶運航管理システム。
【請求項９】
動力源として船外機を備えた小型船舶における位置情報を小型船舶運航管理サーバに送信する小型船舶用運航管理ユニットであって、
前記小型船舶の動静情報を検出する動静情報検出手段と、
前記小型船舶の位置情報を検出する位置情報検出手段と、
前記動静情報および／または前記位置情報を前記小型船舶運航管理サーバに送信する情報通信手段と、
前記動静情報検出手段によって検出された前記動静情報および／または前記位置情報検出手段によって検出された前記位置情報に基づき前記小型船舶の状態を判別する船舶状態判別手段と
を有する、前記小型船舶用運航管理ユニット。
【請求項１０】
動力源として船外機を備えた小型船舶における位置情報を送信する小型船舶用運航管理ユニットから送信される前記位置情報を取得して前記小型船舶の運航情報を管理する小型船舶運航管理サーバであって、
前記小型船舶の動静情報を検出する動静情報検出手段と、
前記小型船舶の位置情報を検出する位置情報検出手段と、
前記動静情報および／または前記位置情報を前記小型船舶運航管理サーバに送信する情報通信手段とを有する、前記小型船舶用運航管理ユニットから、
前記情報通信手段を介して送信される前記動静情報検出手段によって検出された前記動静情報および／または前記位置情報検出手段によって検出された前記位置情報を受信し、当該動静情報および／または当該位置情報に基づき前記小型船舶の状態を判別する船舶状態判別手段を有する、前記小型船舶運航管理サーバ。
【発明の詳細な説明】
【技術分野】
【０００１】
本発明は、いわゆる「磯舟」のような船外機を動力源として備える小型船舶の運航情報を管理する小型船舶運航管理システム、小型船舶用運航管理ユニットおよび小型船舶運航管理サーバに関するものである。
【背景技術】
【０００２】
日本の近海で行う漁業では、船外機を動力とした小型船舶、いわゆる「磯舟」が多く用いられている。また、このような磯舟で漁をする漁師は、多くの漁獲量が期待できる良好な漁場の情報を記憶しており、各漁師はその独自の情報をもとに個別に漁を行っている。
【０００３】
ところで、通常、タンカーや客船等の比較的大きな船舶は、走行中の位置を確認するために全地球測位システム（Global Positioning System：ＧＰＳ）を利用した位置検出装置を備えている。近年では、複数の船舶からインターネットを介して個々の位置情報を取得し、各船舶の運航を管理することのできる発明が提案されており、例えば、特開２００６−１６３７６５号公報では、ＧＰＳ受信機能と、インターネット接続機能とを備えた船舶情報通信手段により、船舶の運航を監視する船舶運航監視システムが提案されている（特許文献１）。
【先行技術文献】
【特許文献】
【０００４】
【特許文献１】特開２００６−１６３７６５号公報
【発明の概要】
【発明が解決しようとする課題】
【０００５】
しかしながら、特許発明１に記載の発明では、位置情報による船舶の運航を監視することしかできない。これに対し、近年では漁師の後継者不足から、良好な漁場の情報が次世代に伝承されていない現状がある。また、乱獲や気候変動の影響から漁獲量が減っており、漁業のみによる収入が減少していることから、後継者不足の問題を深刻化させている。このような状況から、近年では、良好な漁場情報の共有化や良好な漁場の分析に対するニーズが高まっている。
【０００６】
また、磯舟を用いた近海漁において、落船や転覆といった海難事故が、年間で数十件発生している。このような海難事故に対する対策として、磯舟の位置情報および磯舟の状態をリアルタイムで管理するシステムが求められている。
【０００７】
本発明は、以上のような問題点を解決するためになされたものであって、小型船舶に好適な小型船舶運航管理システム、小型船舶用運航管理ユニットおよび小型船舶運航管理サーバを提供することを目的としている。
【課題を解決するための手段】
【０００８】
本発明に係る小型船舶運航管理システムは、小型船舶の動作情報および／または位置情報に基づき前記小型船舶の状態を判別するという課題を解決するために、動力源として船外機を備えた小型船舶における位置情報を送信する小型船舶用運航管理ユニットと、この小型船舶用運航管理ユニットから送信される前記位置情報を取得して前記小型船舶の運航情報を管理する小型船舶運航管理サーバとを有する小型船舶運航管理システムであって、前記小型船舶用運航管理ユニットが、前記小型船舶の動静情報を検出する動静情報検出手段と、前記小型船舶の位置情報を検出する位置情報検出手段と、前記動静情報および／または前記位置情報を前記小型船舶運航管理サーバに送信する情報通信手段とを有するとともに、前記小型船舶用運航管理ユニットまたは前記小型船舶運航管理サーバの少なくともいずれか一方には、前記動静情報検出手段によって検出された前記動静情報および／または前記位置情報検出手段によって検出された前記位置情報に基づき前記小型船舶の状態を判別する船舶状態判別手段を有する。
【０００９】
また、本発明の一態様として、小型船舶が海上において停船状態にあるのか、帰港して静止状態にあるのかの違いを判別するという課題を解決するために、前記船舶状態判別手段が、前記動静情報検出手段から取得した動静情報が所定の停船判別用時間以上連続して所定の停船判別用動静情報値以下である場合に、前記小型船舶が海上における停船状態にあると判別する停船判別部と、この停船判別部によって停船状態にあると判別された後に、前記動静情報が所定の静止判別用時間以上連続して所定の静止判別用動静情報値以下である場合に、前記小型船舶が帰港後に陸揚げされて静止状態にあると判別する静止判別部とを有していてもよい。
【００１０】
さらに、本発明の一態様として、小型船舶が操業状態にあることを判別するという課題を解決するために、前記船舶状態判別手段が、前記位置情報検出手段から取得した前記位置情報に基づき前記小型船舶の速度情報を算出するか、または前記動静情報検出手段から前記小型船舶の速度情報を取得する小型船舶速度取得部と、この小型船舶速度取得部により取得した速度情報が所定の操業判別用速度範囲以内である場合に、前記小型船舶が捕獲対象物を探索するために低速で運航されている操業状態にあると判別する操業判別部とを有していてもよい。
【００１１】
また、本発明の一態様として、小型船舶から乗員が落船した状態を判別するという課題を解決するために、前記船舶状態判別手段が、前記動静情報検出手段から取得した前記小型船舶の動作情報に基づき前記小型船舶の揺れの周波数を抽出する揺れ周波数抽出部と、前記揺れ周波数抽出部により抽出された揺れの周波数が前記小型船舶の固有情報に基づき設定される落船判別用周波数値より大きい場合に、乗員が前記小型船舶から落船した状態にあると判別する乗員落船判別部とを有していてもよい。
【００１２】
さらに、本発明の一態様として、小型船舶から乗員が落船した状態を判別するという課題を解決するために、前記船舶状態判別手段が、前記位置情報検出手段から取得した前記位置情報に基づき前記小型船舶の船首方位情報を算出するか、または前記動静情報検出手段から前記小型船舶の船首方位情報を取得する船首方位情報取得部と、前記位置情報検出手段から取得した前記位置情報に基づき前記小型船舶の進行方向を算出する進行方向算出部と、前記船首方位情報取得部により取得した船首方位情報と前記進行方向算出部により算出した進行方向との角度差が所定の旋回判別用時間以上連続して所定の旋回判別用角度差値以上である場合に、乗員が落船したことにより舵を失った前記小型船舶が旋回状態にあると判別する乗員落船判別部とを有していてもよい。
【００１３】
また、本発明の一態様として、小型船舶が転覆状態にあることを判別するという課題を解決するために、前記船舶状態判別手段が、前記動静情報検出手段によって検出された前記動静情報に基づき前記小型船舶の傾斜角度を算出または取得する傾斜角度取得部と、この傾斜角度取得部により取得された前記傾斜角度が所定の転覆判別用時間以上連続して所定の転覆判別用傾斜角度値より大きい場合に、前記小型船舶が転覆状態にあると判別する転覆判別部とを有していてもよい。
【００１４】
さらに、本発明の一態様として、小型船舶の積荷量が過重状態にあることを判別するという課題を解決するために、前記船舶状態判別手段が、前記動静情報検出手段から取得した動作情報に基づき前記小型船舶の揺れの周波数を抽出する周波数抽出部と、前記周波数抽出部により抽出された揺れの周波数が、前記小型船舶の構造、想定される最大の乗員重量および想定される最大の積荷量により設定される過重判別用周波数値より小さい場合に、前記小型船舶の積荷量が過重状態にあると判別する過重判別部とを有していてもよい。
【００１５】
また、本発明の一態様として、小型船舶が波浪の中での運航状態にあることを判別するという課題を解決するために、前記船舶状態判別手段が、前記動静情報検出手段から取得した前記小型船舶の動静情報に基づき動静情報の変化量を算出する動静情報変化量算出部と、この動静情報変化量算出部により算出された前記動静情報変化量が所定の波浪判別用動静情報変化量値より大きい場合に、前記小型船舶が波浪の中での運航状態にあると判別する波浪運航判別部とを有していてもよい。
【００１６】
本発明に係る小型船舶用運航管理ユニットは、小型船舶の動作情報および／または位置情報に基づき前記小型船舶の状態を判別するという課題を解決するために、動力源として船外機を備えた小型船舶における位置情報を小型船舶運航管理サーバに送信する小型船舶用運航管理ユニットであって、前記小型船舶の動静情報を検出する動静情報検出手段と、
前記小型船舶の位置情報を検出する位置情報検出手段と、前記動静情報および／または前記位置情報を前記小型船舶運航管理サーバに送信する情報通信手段と、前記動静情報検出手段によって検出された前記動静情報および／または前記位置情報検出手段によって検出された前記位置情報に基づき前記小型船舶の状態を判別する船舶状態判別手段とを有する。
【００１７】
本発明に係る小型船舶運航管理サーバは、小型船舶の動作情報および／または位置情報に基づき前記小型船舶の状態を判別するという課題を解決するために、動力源として船外機を備えた小型船舶における位置情報を送信する小型船舶用運航管理ユニットから送信される前記位置情報を取得して前記小型船舶の運航情報を管理する小型船舶運航管理サーバであって、前記小型船舶の動静情報を検出する動静情報検出手段と、前記小型船舶の位置情報を検出する位置情報検出手段と、前記動静情報および／または前記位置情報を前記小型船舶運航管理サーバに送信する情報通信手段とを有する、前記小型船舶用運航管理ユニットから、前記情報通信手段を介して送信される前記動静情報検出手段によって検出された前記動静情報および／または前記位置情報検出手段によって検出された前記位置情報を受信し、当該動静情報および／または当該位置情報に基づき前記小型船舶の状態を判別する船舶状態判別手段を有する。
【発明の効果】
【００１８】
本発明によれば、小型船舶の動作情報および／または位置情報に基づき前記小型船舶の状態を判別することができる。
【図面の簡単な説明】
【００１９】
【図１】本発明に係る小型船舶運航管理システムの一実施形態を示す模式図である。
【図２】本実施形態の小型船舶用運航管理ユニットを示すブロック図である。
【図３】小型船舶が傾斜角度αで傾斜している状態において加速度センサで検出される加速度を示す模式図である。
【図４】本実施形態における停船判別処理および静止判別処理を示すフローチャートである。
【図５】本実施形態における操業判別処理を示すフローチャートである。
【図６】本実施形態における小型船舶の揺れの周波数に基づく落船判別処理を示すフローチャートである。
【図７】本実施形態における小型船舶の旋回判別に基づく落船判別処理を示すフローチャートである。
【図８】本実施形態における転覆判別処理を示すフローチャートである。
【図９】本実施形態における過重判別処理を示すフローチャートである。
【図１０】本実施形態における波浪運航判別処理を示すフローチャートである。
【発明を実施するための形態】
【００２０】
以下、本発明に係る小型船舶運航管理システム、小型船舶用運航管理ユニットおよび小型船舶小型船舶運航管理サーバの一実施形態について図面を用いて説明する。
【００２１】
本実施形態における小型船舶運航管理システム１は、図１に示すように、動力源として船外機１０１を備えた小型船舶１００に搭載される小型船舶用運航管理ユニット２と、この小型船舶用運航管理ユニット２から送信される位置情報等を取得して前記小型船舶１００の運航情報を管理する小型船舶運航管理サーバ２０とを有する。以下、各構成について詳細に説明する。
【００２２】
まず、小型船舶用運航管理ユニット２が搭載される小型船舶１００について簡単に説明する。本実施形態における小型船舶１００は、動力源として船外機１０１を備えた船であり、漁業に用いられる磯舟を含むものである。この小型船舶１００には、１名から数名程度の少人数の乗員と、磯舟においては漁に使用する網や籠、漁で捕獲した魚介類を積荷として搭載できる構造を有している。
【００２３】
船外機１０１は、エンジンやこのエンジンを起動させるセルモータ、前記エンジンにより回転するスクリュー（プロペラ）、前記セルモータの電源となる船外機用バッテリ１０２等からなり、主に、小型船舶１００の船尾に設置される。なお、図示しないが、船外機１０１とは別に電動のマリンモータが設置されていてもよい。このマリンモータは、主に、低速で漁獲対象物を探索する際に、周囲で操業中の船舶の乗員に対し排気ガスによる健康被害を与えないために設置される。
【００２４】
本実施形態の小型船舶用運航管理ユニット２は、図２に示すように、主に、小型船舶１００における位置情報や後述する動静情報を小型船舶運航管理サーバ２０に送信して前記小型船舶１００の運航を管理するためのものであり、本実施形態では、図２に示すように、小型船舶１００の動静情報を検出する動静情報検出手段３と、前記小型船舶１００の位置情報を検出する位置情報検出手段４と、前記動静情報等を前記小型船舶運航管理サーバ２０に送信する情報通信手段５と、前記小型船舶１００の状態を判別する船舶状態判別手段６とを有する。
【００２５】
動静情報検出手段３は、小型船舶１００に搭載されて当該小型船舶１００の動静情報を検出するものである。本実施形態において動静とは、小型船舶１００の状態を判別可能な情報全般のことであり、例えば加速度情報や振動情報、傾斜情報、船首方位情報、角加速度情報、エンジン稼働情報が例示される。本実施形態では、動静情報を検出するセンサとして、図２に示すように、小型船舶１００の前後方向、左右方向および上下方向の加速度情報を検出する前後方向加速度センサ３１、左右方向加速度センサ３２、上下方向加速度センサ３３、小型船舶１００の前後方向に対する傾斜角度を検出する傾斜角度センサ３４および小型船舶１００の船首方位情報を検出する方位センサ３５を有している。船首方位とは、小型船舶１００の船首が向いている東西南北に対する方角のことである。前記方位センサ３５としては、磁気コンパスやジャイロコンパス、ＧＰＳコンパスが例示される。また、船首方位情報は、ＧＰＳコンパスと同様に、位置情報検出手段４により取得した位置情報に基づき算出することができる。
【００２６】
なお、動静情報検出手段３は、各加速度センサ３１，３２，３３や傾斜角度センサ３４、方位センサ３５に限定されるものではなく、例えば、小型船舶１００の角速度を検出するジャイロセンサや小型船舶１００の複数の動作を検出するこのとできるモーションセンサ、船外機１０１の稼働状態を監視するためにエンジンの回転軸やプロペラの回転数を検出する回転センサ等から適宜選択してもよい。
【００２７】
位置情報検出手段４は、小型船舶１００の位置情報を検出するものであり、本実施形態では、ＧＮＳＳ（Global Navigation Satellite System：全球測位衛星システム）を用いた位置情報検出装置であって、位置情報として緯度、経度および標高を検出できるＧＰＳ装置を用いている。この位置情報検出手段４は、船外機用バッテリ１０２に接続されており、電源が供給されるようになっている。
【００２８】
情報通信手段５は、位置情報検出手段４により検出された位置情報、動静情報検出手段３によって検出された小型船舶１００の動静情報および船舶状態判別手段６によって判別された小型船舶１００の状態を送信するための通信手段であり、本実施形態では、例えば第３世代移動通信システム（いわゆる３Ｇ回線）を利用した通信装置により構成されている。この情報通信手段５は、位置情報検出手段４と同様に、船外機用バッテリ１０２に接続されており、電源が供給されるようになっている。
【００２９】
なお、情報通信手段５は、第３世代移動通信システムを利用したものに限定されるものではなく、既に普及している第４世代移動通信システム、衛星電話回線システムおよびLow Power Wide Area（ LPWA ）、並びに将来的に普及予定の第５世代移動通信システム等から適宜選択してもよい。
【００３０】
また、本実施形態における情報通信手段５および位置情報検出手段４は、相互に別体の構成として記載しているが、市販のＧＰＳトラッカ等のＧＰＳ装置と通信装置とが一体となったものを用いてもよい。
【００３１】
船舶状態判別手段６は、小型船舶運航管理プログラム１ａを実行するためのコンピュータに相当するものであり、前記小型船舶運航管理プログラム１ａおよび小型船舶１００の状態判別に用いられる閾値等の各種データを記憶する記憶手段７と、この記憶手段７に記憶されている前記閾値、動作情報検出手段３からの動作情報および位置情報検出手段４からの位置情報を取得して、主に、情報取得部８１、停船判別部８２、静止判別部８３、小型船舶速度取得部８４、操業判別部８５、揺れ周波数抽出部８６、乗員落船判別部８７、船首方位情報取得部８８、進行方向取得部８９、傾斜角度取得部９０、転覆判別部９１、過重判別部９２、動作情報変化量算出部９３、波浪運航判別部９４、船舶状態通知部９５および閾値学習部９６として機能するための演算処理を実行する演算処理手段８とを有する。
【００３２】
なお、船舶状態判別手段６として機能するコンピュータは、記憶手段７と演算処理手段８とが一体的に構成されたマイクロコンピュータ（いわゆる「マイコン」）等を含むものである。また、本実施形態における記憶手段７および演算処理手段８は、図２に示すように、位置情報検出手段４と別体の構成としているが、これに限定されるものではなく、前記位置情報検出手段４が独自に記憶手段や演算処理手段を備えている場合はそれらを用いて以下に説明する演算処理を実行してもよい。
【００３３】
記憶手段７は、ＲＯＭ、ＲＡＭ、ハードディスク、フラッシュメモリ等によって構成されており、各種のデータを記憶するとともに、演算処理手段８が演算を実行する際のワーキングエリアとして機能するものである。図２に示すように、本実施形態における記憶手段７は、主に、小型船舶運航管理プログラム１ａを記憶するプログラム記憶部７１と、小型船舶１００の状態判別に用いられる各閾値を記憶する状態判別用閾値記憶部７２とを有する。
【００３４】
プログラム記憶部７１には、本実施形態の小型船舶運航管理プログラム１ａがインストールされている。そして、演算処理手段８が、前記小型船舶運航管理プログラム１ａを実行し、後述する各構成部としてコンピュータを機能させるようになっている。
【００３５】
なお、小型船舶運航管理プログラム１ａの利用形態は、上記構成に限られるものではない。例えば、ＣＤ−ＲＯＭやＵＳＢメモリ等のように、コンピュータで読み取り可能な非一時的な記録媒体に小型船舶運航管理プログラム１ａを記憶させておき、この記録媒体から直接読み出して実行してもよい。
【００３６】
状態判別用閾値記憶部７２は、小型船舶の状態判別を実行するための閾値を記憶するものであり、本実施形態では、図２に示すように、停船判別用時間、停船判別用動作情報値、静止判別用時間、静止判別用動作情報値、操業判別用速度範囲、落船判別用周波数値、旋回判別用時間、旋回判別用角度差値、転覆判別用時間、転覆判別用傾斜角度値、過重判別用周波数値および波浪判別用動作情報変化量値を記憶している。
【００３７】
停船判別用時間は、停船判別部８２が動作情報検出手段３から取得した動作情報に基づき小型船舶１００が停船状態にあるか否かを判別するために設定された時間である。停船状態にある場合、小型船舶１００は、船外機１０１のエンジンが切られるなどして、海上において動きが少ない状態であり、動作情報検出手段３で得られる動作情報値も僅かであるか、全くない時間が続く。一方、操業中においても動きが少なくなることもある。そこで、停船判別用時間として、停船中と操業中と区別することのできる時間が閾値として設定されている。本実施形態における停船判別用時間は、１０分間に設定されている。なお、この停船判別用時間は、１０分間に限定されるものではなく、適宜変更して設定してもよい。
【００３８】
停船判別用動作情報値は、停船判別部８２が動作情報検出手段３から取得した動作情報に基づき小型船舶１００が停船状態にあるか否かを判別するために設定された動作情報値である。この停船判別用動作情報値は、海上において動いている状態と海上で船外機１０１を停止した停船状態との判別を行うことのできる動作情報値を閾値として設定している。
【００３９】
なお、停船状態の判別は、動作情報出手段３から取得した動作情報に基づくものに限定されるものではなく、例えば、船外機１０１の稼働状態を監視して、船外機１０１が停止しているときに小型船舶１００が停船状態にあると判別してもよい。
【００４０】
静止判別用時間は、静止判別部８３が動作情報検出手段３から取得した動作情報に基づき小型船舶１００が帰港後に陸揚げされて静止状態にあるか否かを判別するために設定された時間である。本実施形態では、動作情報検出手段３から取得した動作情報に基づき小型船舶１００が帰港後に陸揚げされて静止状態にあるか否かを判別できる時間を閾値として設定している。具体的には、停船判別用時間を経過後の１０分間として設定している。
【００４１】
静止判別用動作情報値は、静止判別部８３が動作情報検出手段３から取得した動作情報に基づき小型船舶１００が帰港後に陸揚げされて静止状態か否かを判別するために設定された動作情報値である。この静止判別用動作情報値は、海上において動いている状態と帰港後に帰港後に陸揚げされて静止している静止状態との判別を行うことのできる動作情報値を閾値として設定しており、例えば、停船判別用動作情報値と同じ値に設定してもよく、違う値に設定してもよい。
【００４２】
なお、静止状態の判別は、動作情報に基づくものに限定されるものではない。例えば、磯舟は傾斜地に陸揚げされていることが多いため、小型船舶１００の傾斜角度を監視し、所定の傾斜角度で傾斜した状態が所定時間以上連続した場合に小型船舶１００が静止状態にある判別できるようにしてもよい。また、位置情報検出手段４から位置情報を取得できるため、この位置情報から所定の陸揚げ予定地およびそこからの所定範囲内に入ることで帰港後に陸揚げされた静止状態にあると判別できるようにしてもよい。
【００４３】
操業判別用速度範囲は、操業判別部８５が小型船舶１００の速度情報に基づき小型船舶１００が操業状態にあるか否かを判別するために設定された速度範囲である。つまり、小型船舶１００が漁業に用いられる磯舟の場合、上述のとおり、排気ガスによる健康被害を回避するために漁場に到着して漁を行う場合には、電動のマリンモータによって低速で移動していることが多い。そこで、操業判別用速度範囲として、小型船舶１００の低速での操業状態を判別することができる速度範囲の上限値と下限値とを閾値として設定しており、本実施形態では、例えば時速３ｋｍ以上６ｋｍ以内として設定している。なお、この操業判別用速度範囲は、時速３ｋｍ以上時速６ｋｍ以内に限定されるものではなく、適宜設定してよい。
【００４４】
次に、落船判別用周波数値、旋回判別用時間および旋回判別用角度差値について説明する。これらの閾値は、後述するように、乗員落船判別部８７が小型船舶１００から乗員が落船した状態か否かを判別するための閾値である。前記落船判別用周波数値は小型船舶１００の揺れの周波数に基づく落船判別処理に用いられる閾値である。また、旋回判別用時間および旋回判別用角度差値は旋回判別に基づく落船判別処理に用いられる閾値である。
【００４５】
落船判別用周波数値は、乗員落船判別部８７が小型船舶１００の揺れの周波数に基づき前記小型船舶１００から乗員が落船したか否かを判別するための周波数値である。つまり、小型船舶１００は、水上で波に揺られているが、その揺れの中には小型船舶１００の固有情報として揺れの周波数成分を含んでいる。この小型船舶１００の固有情報となる揺れの周波数は、小型船舶１００の構造、乗員重量および積荷量により定まるものであり、重量が重くなるに従って揺れの周波数は低くなる。一方、仮に乗員が落船するとその分の重量が急激に軽くなり、揺れの周波数は一気に高くなる。そこで、本実施形態では、落船判別用周波数値として、小型船舶１００固有の揺れの周波数から乗員が落船した状態か否かを判別することができる周波数の上昇量を閾値として設定している。
【００４６】
これに対し、旋回判別用時間および旋回判別用角度差値は、乗員落船判別部８７が船首方位情報および進行方向の角度差に基づき乗員が落船したことにより舵を失った前記小型船舶１００が旋回状態にあるか否かを判別するための時間および角度差値である。進行方向とは、小型船舶１００がある地点から次の地点まで移動したときの各点同士を結ぶ線が向かう方角のことである。
【００４７】
旋回判別に基づく落船判別処理は、小型船舶１００から乗員が落船して舵を失うと、小型船舶１００がその場で旋回することが知られており、この旋回運動を船首方位情報と進行方向との角度差から判別するものである。一方、通常の運航状態でも潮の流れにより船首方位情報と進行方向との角度差が生じることがある。そこで、本実施形態では、落船による旋回状態と通常の運航状態とを判別できる時間および角度差を旋回判別用時間および旋回判別用角度差値として設定している。具体的には、旋回判別用時間を１分間に設定するとともに、旋回判別用角度差値を９０度に設定している。なお、これらの旋回判別用時間および旋回判別用角度差値は、１分間および９０度に限定されるものではなく、適宜設定してもよい。
【００４８】
転覆判別用時間は、転覆判別部９１が小型船舶１００の傾斜角度に基づき前記小型船舶１００が転覆状態にあるか否かを判別するために設定された時間である。転覆状態では、小型船舶１００は、傾斜している状態であるとともに、その状態が長く続くと考えられる。一方、小型船舶１００は、波風によって転覆しないまでも大きく傾斜することがある。そこで、本実施形態では、転覆判別用時間として、転覆しないまでも大きく傾斜した状態と、実際に転覆した状態とを判別できる時間を閾値として設定しており、本実施形態では、３０秒間として設定している。なお、この転覆判別用時間は、３０秒間に限定されるものではなく、適宜設定してもよい。
【００４９】
転覆判別用傾斜角度値は、転覆判別部９１が転覆状態にあるか否かを判別するために設定された傾斜角度値である。本実施形態における転覆判別用傾斜角度値は、転覆している可能性の高い６０度として設定している。なお、この転覆判別用傾斜角度値は、６０度に限定されるものではなく、適宜設定してよい。
【００５０】
過重判別用周波数値は、過重判別部９２が小型船舶１００の揺れの周波数に基づき前記小型船舶１００の積荷量が過重状態か否かを判別するための周波数値である。上述のとおり、小型船舶１００は、揺れの中に小型船舶１００固有の揺れの周波数成分を含んでおり、重量が重くなると揺れの周波数は低くなる傾向にある。そこで、本実施形態では、過重判別用周波数値として、小型船舶１００の構造、想定される最大の乗員重量および想定される最大の積荷量により設定される最大の周波数値を閾値として設定している。
【００５１】
波浪判別用動作情報変化量値は、波浪運航判別部９４が動作情報検出手段３から取得した動作情報から算出された動作情報の変化量値に基づき前記小型船舶１００が波浪の中での運航状態にあるか否かを判別するために設定された動作情報変化量値である。小型船舶１００は、波浪の中での運航状態にある場合、大きく揺れ動いており、動作情報の変化量も大きい。そこで、波浪判別用動作情報変化量値として、小型船舶１００が波浪の中で運航していると判別できる動作情報変化量値を閾値として設定している。
【００５２】
次に、演算処理手段８について説明する。演算処理手段８は、ＣＰＵ（Central Processing Unit）等から構成されており、記憶手段８にインストールされた小型船舶運航管理プログラム１ａを実行させることにより、図２に示すように、船舶状態判別手段６としてのコンピュータを、情報取得部８１、停船判別部８２、静止判別部８３、小型船舶速度取得部８４、操業判別部８５、揺れ周波数抽出部８６、乗員落船判別部８７、船首方位情報取得部８８、進行方向取得部８９、傾斜角度取得部９０、転覆判別部９１、過重判別部９２、動作情報変化量算出部９３、波浪運航判別部９４、船舶状態通知部９５および閾値学習部９６として機能させるようになっている。
【００５３】
情報取得部８１は、動作情報検出手段３により検出された動作情報および位置情報検出手段４により検出された位置情報を取得するものである。
【００５４】
停船判別部８２は、小型船舶１００が海上で停船しているか否かを判別するものであり、本実施形態では、上述のとおり停船状態の小型船舶１００が全く動かないか少しの動きしかない状態であることに基づき、情報取得部８１が取得した動作情報と、状態判別用閾値記憶部７２に記憶された停船判別用動作情報値とを比較して前記動作情報が前記停船判別用動作情報値以下であるか否かを判別する。そして、前記動作情報が前記停船判別用動作情報値以下である場合には、その状態が状態判別用閾値記憶部７２に記憶された停船判別用時間以上連続しているか否かを判別し、停船判別用時間以上連続している場合には小型船舶１００が停船状態であると判別する。
【００５５】
静止判別部８３は、小型船舶１００が静止しているか否かを判別するものであり、本実施形態では、情報取得部８１が取得した動作情報と、状態判別用閾値記憶部７２に記憶された静止判別用動作情報値とを比較して、前記動作情報が前記静止判別用動作情報値以下であるか否かを判別する。そして前記動作情報が前記静止判別用動作情報値以下である場合には、その状態が状態判別用閾値記憶部７２に記憶された静止判別用時間以上連続しているか否かを判別し、静止判別用時間以上連続している場合は小型船舶１００が静止状態であると判別する。
【００５６】
小型船舶速度取得部８４は、小型船舶１００の速度情報を取得するものであり、本実施形態では、情報取得部８１が取得した位置情報に基づき小型船舶１００の速度を算出して取得するようになっている。具体的には、位置情報に基づき時系列に経度情報と緯度情報を取得し、それらから所定時間の移動距離を算出し、前記移動距離を前記所定時間で割ることで小型船舶１００の速度を算出し、取得する。
【００５７】
なお、小型船舶１００の速度情報は、位置情報に基づき算出されるものに限定されるものではなく、小型船舶１００に搭載された速度検出手段、例えばピトー管を利用した速度計やドップラー速度計から速度情報を取得してもよい。
【００５８】
操業判別部８５は、小型船舶１００の速度情報に基づき前記小型船舶１００が操業状態であるか否かを判別するものであり、本実施形態では、前記小型船舶速度取得部８４により取得した速度情報と、状態判別用閾値記憶部７２に記憶された操業判別用速度範囲とを比較して、前記速度情報が前記操業判別用速度範囲以内にあるか否かを判別し、前記操業判別用速度範囲以内にある場合には、前記小型船舶１００が操業状態にあると判別する。
【００５９】
揺れ周波数抽出部８６は、小型船舶１００の揺れの周波数を抽出するものであり、本実施形態では、動作情報出手段３から取得した動作情報の時間変化を分析することで、揺れの周波数を抽出する。例えば、前記動作情報を高速フーリエ変換（fast Fourier transform：ＦＦＴ）することで小型船舶１００固有の揺れの周波数を抽出することができる。
【００６０】
乗員落船判別部８７は、乗員が落船したか否かを判別するものであり、本実施形態では、小型船舶１００の揺れの周波数から判別する方法と、小型船舶１００の船首方位情報と進行方向との角度差に基づく旋回判別から判別する方法の２通りの方法を選択または併用することができる。
【００６１】
揺れの周波数から判別する方法では、揺れ周波数抽出部８６により抽出された揺れの周波数を時系列で取得する。また、前記揺れの周波数が所定の時間間隔で上昇した上昇量を算出する。そして、前記上昇量と状態判別用閾値記憶部７２に記憶された落船判別用周波数値とを比較する。ここで、前記揺れの周波数の上昇量が、状態判別用閾値記憶部７２に記憶された落船判別用周波数値より大きい場合には、乗員が前記小型船舶１００から落船したと判別する。
【００６２】
船首方位情報と進行方向との角度差に基づく旋回判別から判別する方法では、船首方位情報取得部８８により取得した船首方位情報と、進行方向算出部８９により算出した進行方向との角度差を算出する。また、当該角度差と状態判別用閾値記憶部７２に記憶された旋回判別用角度差値とを比較して、前記角度差が旋回判別用角度差値以上であるか否かを判別する。そして前記角度差が前記旋回判別用角度差値以上である場合には、その状態が状態判別用閾値記憶部７２に記憶された旋回判別用時間以上連続しているか否かを判別し、旋回判別用時間以上連続している場合は、乗員が落船したことにより舵を失った前記小型船舶１００が旋回状態にあると判別する。
【００６３】
船首方位情報取得部８８は、小型船舶１００の船首方位情報を取得するものであり、本実施形態では、方位センサ３５で検出された船首方位情報を取得する。この船首方位情報は、位置情報検出手段４から取得した位置情報に基づき算出することもできる。位置情報に基づき船首方位情報を算出する方法は、ＧＰＳコンパスと同様、２つの位置情報検出手段４（ＧＰＳ受信機）を用いて、それらのアンテナの相対的な位置関係から方位を算出する。
【００６４】
進行方向算出部８９は、位置情報検出手段４から取得した位置情報に基づき小型船舶１００の進行方向を算出するものであり、本実施形態では、時系列で取得した緯度および経度から前記小型船舶１００の進行方向を算出する。  
【００６５】
傾斜角度取得部９０は、小型船舶１００の傾斜角度を取得するものであり、動静情報検出手段３の各加速度センサ３１，３２，３３から取得した加速度情報に基づき傾斜角度を算出するか、傾斜角度センサ３４から傾斜角度を取得する。
【００６６】
各方向の加速度センサ３１，３２，３３により検出される加速度情報には、小型船舶１００が動いたことによる加速度と、重力加速度による加速度とが含まれる。そして、小型船舶１００が転覆により静止している状態の場合には、動きによる加速度はゼロとなり、重力加速度のみが検出される。そこで、図３に示すように、小型船舶１００が実線で示す前後方向軸および左右方向軸による座標位置から、鎖線で示す前後方向軸および左右方向軸による座標位置まで、前後方向に傾斜角度αで傾斜したものとすると、前後方向加速度センサ３１で検出された前後方向加速度値ａと、上下方向加速度値ｂとは、以下の関係が成り立つ。
α＝ｃｏｓ−１（ｂ）  式（１）
または
α＝ｓｉｎ−１（ａ）  式（２）
よって、これらの計算式から小型船舶１００の傾斜角度αを算出することができる。この関係は、左右方向の傾斜角度および前後左右を合わせた傾斜角度も同様に算出することができる。
【００６７】
本実施形態における傾斜角度取得部９０は、前記式（１）または式（２）に基づき、加速度値から傾斜角度を算出している。
【００６８】
転覆判別部９１は、小型船舶１００が転覆状態にあるか否かを判別するものであり、本実施形態では、傾斜角度取得部９０により取得された傾斜角度と、状態判別用閾値記憶部７２に記憶された転覆判別用傾斜角度とを比較して、前記傾斜角度が前記転覆判別用傾斜角度より大きいか否かを判別する。そして、前記傾斜角度が前記転覆判別用傾斜角度より大きい場合には、その状態が状態判別用閾値記憶部７２に記憶された転覆判別用時間以上連続しているか否かを判別し、転覆判別用時間以上連続している場合は小型船舶１００が転覆したと判別する。
【００６９】
過重判別部９２は、小型船舶１００の積荷量が過重状態か否かを判別するものであり、本実施形態では、揺れ周波数抽出部８６により抽出された揺れの周波数と、状態判別用閾値記憶部７２に記憶された過重判別用周波数値とを比較して、前記揺れの周波数が前記過重判別用周波数値より小さいか否かを判別する。そして、前記揺れの周波数が前記過重判別用周波数値より小さい場合には、前記小型船舶１００の積荷量が過重状態にあると判別する。
【００７０】
動作情報変化量算出部９３は、小型船舶１００が波浪の中での運航状態であるか否かを判別するために前記小型船舶１００の動作情報の変化量を算出するものであり、本実施形態では、各加速度センサ３１，３２，３３から加速度情報を時系列で取得し、前記加速度情報の変化量を所定時間間隔毎に算出する。
【００７１】
波浪運航判別部９４は、小型船舶１００が波浪の中で運航しているか否かを判別するものであり、本実施形態では、動作情報変化量算出部９３により算出された所定時間間隔毎の動作情報変化量と、状態判別用閾値記憶部７２に記憶された波浪判別用動作情報変化量値とを比較して、前記動作情報変化量が前記波浪判別用動作情報変化量値より大きいか否かを判別する。そして、前記加動作情報変化量が前記波浪判別用動作情報変化量値より大きい場合には、前記小型船舶１００が波浪の中で運航していると判別する。
【００７２】
船舶状態通知部９５は、各判別部８２，８３，８５，８７，９１，９２，９４によって判別された小型船舶１００の状態情報を情報通信手段５を介して小型船舶運航管理サーバ２０に送信するものであり、本実施形態では、各判別部８２，８３，８５，８７，９１，９２，９４により小型船舶１００の状態が判別される毎に、その状態情報を前記小型船舶運航管理サーバ２０に送信する。
【００７３】
閾値学習部９６は、各判別部８２，８３，８５，８７，９１，９２，９４により判別された状態情報を蓄積するとともに、実際の状態情報と比較して、状態判別用閾値記憶部７２に記憶されている各閾値を適宜更新するものである。例えば、入出力の関係を学習可能な関数近似手法であるディープラーニング等により閾値を学習させる。このように各判別部８２，８３，８５，８７，９１，９２，９４によって判別された状態情報と実際の状態情報との比較から閾値を学習させることにより、精度の向上を図ることができる。
【００７４】
次に、小型船舶運航管理サーバ２０について説明する。小型船舶運航管理サーバ２０は、図示しないが、小型船舶用運航管理ユニット２から送信される位置情報や動静情報を蓄積するとともに、必要に応じて蓄積された情報を解析して小型船舶１００の運航を管理するコンピュータであり、記憶手段および演算処理手段を有する。
【００７５】
なお、上述した本実施形態における船舶状態判別手段６に係る構成は、小型船舶用運航管理ユニット２が備える構成となっているが、これに限定されるものではなく、小型船舶運航管理サーバ２０が備えるように構成してもよい。つまり、小型船舶運航管理サーバ２０側において、小型船舶用運航管理ユニット２から情報通信手段５を介して送信される動静情報や位置情報を適宜取得して、前記小型船舶運航管理サーバ２０側の演算処理手段により小型船舶運航管理プログラム１ａを実行することにより、船舶状態判別手段６として機能させてもよい。
【００７６】
次に、本実施形態の小型船舶運航管理システム１、小型船舶用運航管理ユニット２および小型船舶運航管理サーバ２０の各構成の作用について、フローチャートとともに説明する。
【００７７】
まず、停船状態および静止状態の判別について説明する。図４に示すように、停船時間の計測を開始する（ステップＳ１）。次に、情報取得部９１が動作情報検出手段３により検出される動作情報を取得する（ステップＳ２）。そして、停船判別部８２が、情報取得部８１で取得した動作情報と状態判別用閾値記憶部７２に記憶された停船判別用動作情報値とを比較し、前記動作情報が前記停船判別用動作情報値以下か否かを判別する（ステップＳ３）。
【００７８】
ここで、動作情報が停船判別用動作情報値より大きいと判別された場合には（Ｓ３：ＮＯ）、小型船舶１００は停船状態ではないとして、ステップＳ１に戻り、停船時間のカウントをゼロにするとともに、動作情報の監視を続行する（ステップＳ１〜ステップＳ３）。
【００７９】
これに対し、動作情報が停船判別用動作情報値以下であると判別された場合には（Ｓ３：ＹＥＳ）、停船判別部８２が、停船時間と停船判別用時間とを比較して前記停船時間が前記停船判別用時間以上か否かを判別する（ステップＳ４）。
【００８０】
ここで、停船時間が前記停船判別用時間未満である判別された場合には（Ｓ４：ＮＯ）、ステップＳ２に戻り動作情報の監視を続行する（ステップＳ２〜ステップＳ４）。
【００８１】
これに対し、停船時間が停船判別用時間以上であると判別された場合には（Ｓ４：ＹＥＳ）、小型船舶１００の動いていない状態が停船判別用時間以上連続していたとして小型船舶１００が停船状態であると判別する。そして、船舶状態通知部９５が情報通信手段５を介して小型船舶１００の状態が停船状態にあることを小型船舶運航管理サーバ２０に送信する（ステップＳ５）。そして、次のステップＳ６〜ステップＳ９に進み、静止状態の判別を行う。
【００８２】
静止状態の判別では、静止時間の計測を開始する（ステップＳ６）。次に、情報取得部８１が動作情報検出手段３により検出される動作情報を取得する（ステップＳ７）。そして、静止判別部８３が、情報取得部８１で取得した動作情報と状態判別用閾値記憶部７２に記憶された静止判別用動作情報値とを比較し、前記動作情報が前記静止判別用動作情報値以下か否かを判別する（ステップＳ８）。
【００８３】
ここで、動作情報が静止判別用動作情報値より大きいと判別された場合には（Ｓ８：ＮＯ）、ステップＳ１に戻り、停止状態の判別を再開する。
【００８４】
これに対し、動作情報が静止判別用動作情報値以下であると判別された場合には（Ｓ８：ＹＥＳ）、静止判別部８３が、静止時間と静止判別用時間とを比較して前記静止時間が前記静止判別用時間以上か否かを判別する（ステップＳ９）。  
【００８５】
ここで、静止時間が前記静止判別用時間未満である判別された場合には（Ｓ９：ＮＯ）、ステップＳ６に戻り、静止状態の判別のための動作情報の監視を続行する（ステップＳ６からステップＳ９）。
【００８６】
これに対し、静止時間が静止判別用時間以上であると判別された場合には（Ｓ９：ＹＥＳ）、小型船舶１００が寄港後に陸揚げされて静止したものと判別する。そして船舶状態通知部９５が情報通信手段５を介して小型船舶１００の状態が静止状態にあることを小型船舶運航管理サーバ２０に送信する（ステップＳ１０）。そして、停船状態・静止状態の判別処理を終了する。
【００８７】
操業判別処理では、図５に示すように、情報取得部８１が位置情報検出手段４で検出された位置情報を時系列で取得する（ステップＳＡ１）。次に、小型船舶速度取得部８４が、取得した位置情報に基づき小型船舶１００の速度を算出する（ステップＳＡ２）。具体的には、ある時点の経度情報および緯度情報と所定時間後の経度情報および緯度情報とから移動距離を算出し、前記移動距離を前記所定時間により割り算することで小型船舶１００の速度を算出する。
【００８８】
次に、操業判別部８５が、小型船舶速度取得部８４により算出された小型船舶１００の速度と、状態判別用閾値記憶部７２に記憶された操業判別用速度範囲とを比較し、小型船舶１００の速度が前記操業判別用速度範囲内にあるか否かを判別する（ステップＳＡ３）。
【００８９】
ここで、小型船舶１００の速度が操業判別用速度範囲内にないと判別された場合には（ＳＡ３：ＮＯ）、ステップＳ１に戻り速度の監視を続行する（ステップＳＡ１〜ステップＳＡ３）。
【００９０】
これに対し、小型船舶１００の速度が操業判別用速度範囲内であると判別された場合には（ＳＡ３：ＹＥＳ）、船舶状態通知部９５が情報通信手段５を介して小型船舶１００の状態が操業状態にあることを小型船舶運航管理サーバ２０に送信する（ステップＳＡ４）。そして、操業判別処理を終了する。
【００９１】
なお、図示しないが、小型船舶運航管理サーバ２０では、小型船舶用運航管理ユニット２から送信された小型船舶１００の状態情報と位置情報とを受信し記憶手段７に蓄積する。操業状態となった位置は、良好な漁場である可能性が高い。よって、蓄積された操業状態となる位置情報を分析することで、良好な漁場の情報を取得することができる。
【００９２】
次に、落船判別処理について説明する。小型船舶１００における落船は海難事故の中でも比較的多い事故であり、救助には早期発見が重要である。本実施形態では、上述のとおり、揺れの周波数から判別する方法と、旋回判別から判別する方法とがある。以下、それぞれのフローについて説明する。
【００９３】
揺れの周波数から判別する方法では、図６に示すように、まず、情報取得部８１が動作情報検出手段３で検出された動作情報を時系列で取得する（ステップＳＢ１）。次に、揺れ周波数抽出部８６が動作情報の時間変化を分析し、小型船舶１００の揺れの周波数を抽出する（ステップＳＢ２）。
【００９４】
次に、乗員落船判別部８７が、揺れの周波数が所定の時間間隔で上昇した上昇量を算出し、この揺れの周波数の上昇量と、状態判別用閾値記憶部７２に記憶された落船判別用周波数値とを比較し、小型船舶１００の揺れの周波数の上昇量が前記落船判別用周波数値以下か否かを判別する（ステップＳＢ３）。
【００９５】
ここで、小型船舶１００の揺れの周波数の上昇量が前記落船判別用周波数値以下であると判別された場合には（ＳＢ３：ＮＯ）、乗員は落船していないものとして、揺れの周波数の監視を続行する（ステップＳＢ１〜ステップＳＢ３）。
【００９６】
これに対し、小型船舶１００の揺れの周波数の上昇量が前記落船判別用周波数値より大きいと判別された場合には（ＳＢ３：ＹＥＳ）、乗員は落船したものとして、船舶状態通知部９５が情報通信手段５を介して乗員の落船を小型船舶運航管理サーバ２０に送信する（ステップＳＢ４）。これにより揺れの周波数による落船判別処理を終了する。
【００９７】
次に、旋回判別から判別する方法では、図７に示すように、旋回時間の計測を開始する（ステップＳＣ１）。次に、船首方位情報取得部８８が動作情報検出手段３の方位センサ３５で検出された船首方位情報を取得する（ステップＳＣ２）。また、情報取得部８１が位置情報検出手段４から小型船舶１００の位置情報を時系列で取得する（ステップＳＣ３）。そして、進行方向算出部８９が取得した位置情報から小型船舶１００の進行方向を算出する（ステップＳＣ４）。
【００９８】
次に、乗員落船判別部８７が、取得した船首方位情報と、算出された進行方向との角度差を算出する（ステップＳＣ５）。そして、乗員落船判別部８７が、前記角度差と状態判別用閾値記憶部７２に記憶された旋回判別用角度差値とを比較して、前記角度差が前記旋回判別用角度差値以上か否かを判別する（ステップＳＣ６）。
【００９９】
ここで、角度差が旋回判別用角度差値未満であると判別された場合には（ＳＣ６：ＮＯ）、小型船舶１００は旋回しておらず乗員は落船していないものとして、ステップＳＣ１に戻り、船首方位情報および進行方向の角度差の監視を続行する。
【０１００】
これに対し、角度差が旋回判別用角度差値以上であると判別された場合には（ＳＣ６：ＹＥＳ）、乗員落船判別部８７が、旋回時間と状態判別用閾値記憶部７２に記憶された旋回判別用時間とを比較して前記旋回時間が前記旋回判別用時間以上か否かを判別する（ステップＳＣ７）。
【０１０１】
ここで、旋回時間が旋回判別用時間未満であると判別された場合には（ＳＣ７：ＮＯ）、ステップＳＣ２に戻り、船首方位情報および進行方向の角度差の監視を続行する。
【０１０２】
これに対し、旋回時間が旋回判別用時間以上であると判別された場合には（ＳＣ７：ＹＥＳ）、小型船舶１００は舵を失ってその場で旋回している状態にあって乗員が落船したと判別される。よって、船舶状態通知部９５が情報通信手段５を介して乗員が前記小型船舶１００から落船したことを小型船舶運航管理サーバ２０に送信する（ステップＳＣ８）。そして、旋回判別による落船判別処理を終了する。
【０１０３】
なお、本実施形態においては、進行方向の算出前に船首方位情報を取得しているがこれに限定されるものではなく、進行方向の算出後に船首方位情報を取得してもよい。
【０１０４】
次に転覆判別処理について説明する。なお、転覆は、落船と同様に、小型船舶１００の海難事故の中でも比較的多い事故であり、救助には早期発見が重要である。
【０１０５】
転覆判別では、図８に示すように、まず、転覆判別部９１が転覆時間の計測を開始する（ステップＳＤ１）。次に、情報取得部８１が各加速度センサ３１，３２で検出された左右方向の加速度情報と、前後方向の加速度情報と、上下方向の加速度情報とを取得する（ステップＳＤ２）。そして、傾斜角度取得部９０が、取得した左右方向加速度情報、前後方向加速度情報、上下方向加速度情報の少なくともいずれかに基づき小型船舶１００の傾斜角度を算出する（ステップＳＤ３）。
【０１０６】
次に、転覆判別部９１が、算出した小型船舶１００の傾斜角度と状態判別用閾値記憶部７２に記憶された転覆判別用傾斜角度とを比較し、傾斜角度が転覆判別用傾斜角度以上か否かを判別する（ステップＳＤ４）。
【０１０７】
ここで、傾斜角度が転覆判別用傾斜角度未満であると判別された場合には（ＳＤ４：ＮＯ）、小型船舶１００は転覆していないものとして、ステップＳＤ１に戻り傾斜角度の監視を続行する。
【０１０８】
これに対し、傾斜角度が転覆判別用傾斜角度以上であると判別された場合には（ＳＤ４：ＹＥＳ）、転覆判別部９１が、転覆時間と状態判別用閾値記憶部７２に記憶された転覆判別用時間とを比較して前記転覆時間が前記転覆判別用時間以上か否かを判別する（ステップＳＤ５）。
【０１０９】
ここで、転覆時間が転覆判別用時間未満である判別された場合には（ＳＤ５：ＮＯ）、ステップＳＤ２に戻り小型船舶１００の傾斜角度の監視を続行する。
【０１１０】
これに対し、転覆時間が転覆判別用時間以上であると判別された場合には（ＳＤ５：ＹＥＳ）、小型船舶１００が転覆状態にあると判別し、船舶状態通知部９５が情報通信手段５を介して前記小型船舶１００が転覆したことを小型船舶運航管理サーバ２０に送信する（ステップＳＤ６）。そして、転覆判別処理を終了する。
【０１１１】
小型船舶運航管理サーバ２０では、取得した小型船舶１００から乗員が落船した情報や転覆状態の情報に基づき早期救助に役立てることができる。また、落船や転覆が発生した場所を分析して、危険が高い海域を情報として提供することもできる。
【０１１２】
次に、過重判別処理について説明する。過重判別は、近年、世界的な漁獲量の現象から、水産資源を確保するため各国や漁港、または漁船毎に漁獲量が割り当てられており、また、過重状態の小型船舶１００は転覆のおそれがあることから適正な管理上必要となるものである。
【０１１３】
過重判別では、図９に示すように、まず、情報取得部８１が動作情報検出手段３で検出された動作情報を時系列で取得する（ステップＳＥ１）。次に、揺れ周波数抽出部８６が動作情報の時間変化を分析し、小型船舶１００の揺れの周波数を抽出する（ステップＳＥ２）。
【０１１４】
次に、過重判別部９２が、抽出した揺れの周波数と状態判別用閾値記憶部７２に記憶された過重判別用周波数値とを比較し、小型船舶１００の揺れの周波数が前記過重判別用周波数値より小さい否かを判別する（ステップＳＥ３）。
【０１１５】
ここで、小型船舶１００の揺れの周波数が前記過重判別用周波数値以上であると判別された場合には（ＳＥ３：ＮＯ）、過重状態ではないものとして、ステップＳＥ１に戻り揺れ周波数の監視を続行する。
【０１１６】
これに対し、小型船舶１００の揺れの周波数が前記過重判別用周波数値より小さいと判別された場合には（ＳＥ３：ＹＥＳ）、船舶状態通知部９５が情報通信手段５を介して前記小型船舶１００の積荷量が過重状態であることを小型船舶運航管理サーバ２０に送信する（ステップＳＥ４）。そして、過重判別処理を終了する。
【０１１７】
小型船舶運航管理サーバ２０では、積荷量が過重状態であることを把握し、小型船舶１００に対して注意や警告を行うなどの対応が可能となる。
【０１１８】
次に、波浪判別処理を説明する。波浪判別では、図１０に示すように、まず、情報取得部８１が動作情報検出手段３で検出された動作情報を時系列で取得する（ステップＳＦ１）。次に、動作情報変化量算出部９３が、取得した時系列の動作情報から小型船舶１００の動作情報の変化量を算出する（ステップＳＦ２）。
【０１１９】
次に、波浪運航判別部９４が、算出された動作情報の変化量と状態判別用閾値記憶部７２に記憶された波浪判別用動作情報変化量値とを比較し、動作情報変化量が前記波浪判別用動作情報変化量値より大きい否かを判別する（ステップＳＦ３）。
【０１２０】
ここで、動作情報変化量が波浪判別用動作情報変化量値以下であると判別された場合には（ＳＦ３：ＮＯ）、小型船舶１００が波浪の中での運航状態ではないものとして、ステップＳＦ１に戻り動作情報変化量の監視を続行する。
【０１２１】
これに対し、動作情報変化量が波浪判別用動作情報変化量値より大きいと判別された場合には（ＳＦ３：ＹＥＳ）、波浪運航判別部９４は小型船舶１００が波浪の中で運航していると判別する。そして、船舶状態通知部９５が情報通信手段５を介して小型船舶１００が波浪の中で運航していることを小型船舶運航管理サーバ２０に送信する（ステップＳＦ４）。そして、波浪判別処理を終了する。
【０１２２】
小型船舶運航管理サーバ２０では、取得した小型船舶１００が波浪の中で運航している情報に基づき他の小型船舶１００に注意喚起をしたり、海難事故が発生する可能性を予知して事前に救助の対策を立てる等に利用することができる。
【０１２３】
なお、本実施形態では、各判別部８２，８３，８５，８７，９１，９２，９４により所定の状態が判別されたことにより各処理を終了しているが、これに限定されるものではなく、例えば出港から帰港するまでの間、繰り返し処理を実行するようにしてもよい。
【０１２４】
以上のような本実施形態によれば、以下の効果を奏することができる。
１．操業状態を判別することで良好な漁場の情報の蓄積や分析をすることができる。
２．落船時や転覆時に想定される小型船舶１００の動きに基づいて落船を判別することにより落船した乗員の早期救助や危険が高い海域の情報分析を行うことができる。
３．過重判別を実行することで、漁獲量制限の管理や転覆のおそれについて注意喚起することができる。
４．波浪判別を実行することで、注意喚起や海難事故のおそれを予知して救助対策を事前に行うことができる。
【０１２５】
なお、本発明に係る小型船舶運航管理システム、小型船舶用運航管理ユニットおよび小型船舶運航管理サーバは、前述した実施形態に限定されるものではなく、適宜変更することができる。例えば、小型船舶用運航管理ユニット２に緊急信号を発するためのＳＯＳボタン手段を設け、緊急事態が発生した時に小型船舶運航管理サーバ２０に緊急信号を送信できるようにしてもよい。
【０１２６】
また、図示しないが、小型船舶１００または小型船舶運航管理サーバ２０では、小型船舶１００が落船状態、転覆状態、過重状態または波浪運航状態のときにその状態を報知する報知手段、例えば、映像で報知するディスプレーや音声で報知するスピーカー等を備えていてもよい。
【０１２７】
さらに、停船時間、静止時間、旋回時間および転覆時間が所定時間以上連続しているか否かの判別は、動作情報等の計測間隔に応じた回数として判別してもよい。つまり、動作情報が１分間隔で計測するものであり、所定時間を１０分に設定した場合では、前記動作情報が１０回連続して所定の値のとき、その状態が１０分以上連続しているものとして判別してもよい。
【符号の説明】
【０１２８】
１  小型船舶運航管理システム
１ａ  小型船舶運航管理プログラム
２  小型船舶用運航管理ユニット
３  動作情報検出手段
４  位置情報検出手段
５  情報通信手段
６  船舶状態判別手段
７  記憶手段
８  演算処理手段
２０  小型船舶運航管理サーバ
３１  前後方向加速度センサ
３２  左右方向加速度センサ
３３  上下方向加速度センサ
７１  プログラム記憶部
７２  状態判別用閾値記憶部
８１  情報取得部
８２  停船判別部
８３  静止判別部
８４  小型船舶速度取得部
８５  操業判別部
８６  揺れ周波数抽出部
８７  乗員落船判別部
８８  船首方位情報取得部
８９  進行方向算出部
９０  傾斜角度取得部
９１  転覆判別部
９２  過重判別部
９３  動作情報変化量算出部
９４  波浪運航判別部
９５  船舶状態通知部
９６  閾値学習部
１００  小型船舶
１０１  船外機
１０２  船外機用バッテリ
【図１】
2020013339.tif 000003
【図２】
2020013339.tif 000004
【図３】
2020013339.tif 000005
【図４】
2020013339.tif 000006
【図５】
2020013339.tif 000007
【図６】
2020013339.tif 000008
【図７】
2020013339.tif 000009
【図８】
2020013339.tif 000010
【図９】
2020013339.tif 000011
【図１０】
2020013339.tif 000012
【手続補正書】
【提出日】令和1年10月28日(2019.10.28)
【手続補正１】
【補正対象書類名】特許請求の範囲
【補正対象項目名】全文
【補正方法】変更
【補正の内容】
【特許請求の範囲】
【請求項１】
動力源として船外機を備えた小型船舶における位置情報を送信する小型船舶用運航管理ユニットと、この小型船舶用運航管理ユニットから送信される前記位置情報を取得して前記小型船舶の運航情報を管理する小型船舶運航管理サーバとを有する小型船舶運航管理システムであって、
前記小型船舶用運航管理ユニットが、
前記小型船舶の動静情報を検出する動静情報検出手段と、
前記小型船舶の位置情報を検出する位置情報検出手段と、
前記動静情報および／または前記位置情報を前記小型船舶運航管理サーバに送信する情報通信手段と
を有するとともに、
前記小型船舶用運航管理ユニットまたは前記小型船舶運航管理サーバの少なくともいずれか一方には、
前記動静情報検出手段によって検出された前記動静情報および／または前記位置情報検出手段によって検出された前記位置情報に基づき前記小型船舶の状態を判別する船舶状態判別手段を有し、
前記船舶状態判別手段が、
前記動静情報検出手段から取得した動静情報が所定の停船判別用時間以上連続して所定の停船判別用動静情報値以下である場合に、前記小型船舶が海上における停船状態にあると判別する停船判別部と、
この停船判別部によって停船状態にあると判別された後に、前記動静情報が所定の静止判別用時間以上連続して所定の静止判別用動静情報値以下である場合に、前記小型船舶が帰港後に陸揚げされて静止状態にあると判別する静止判別部と
を有する、前記小型船舶運航管理システム。
【請求項２】
動力源として船外機を備えた小型船舶における位置情報を送信する小型船舶用運航管理ユニットと、この小型船舶用運航管理ユニットから送信される前記位置情報を取得して前記小型船舶の運航情報を管理する小型船舶運航管理サーバとを有する小型船舶運航管理システムであって、
前記小型船舶用運航管理ユニットが、
前記小型船舶の動静情報を検出する動静情報検出手段と、
前記小型船舶の位置情報を検出する位置情報検出手段と、
前記動静情報および／または前記位置情報を前記小型船舶運航管理サーバに送信する情報通信手段と
を有するとともに、
前記小型船舶用運航管理ユニットまたは前記小型船舶運航管理サーバの少なくともいずれか一方には、
前記動静情報検出手段によって検出された前記動静情報および／または前記位置情報検出手段によって検出された前記位置情報に基づき前記小型船舶の状態を判別する船舶状態判別手段を有し、
前記船舶状態判別手段が、
前記動静情報検出手段から取得した前記小型船舶の動作情報に基づき前記小型船舶の揺れの周波数を抽出する揺れ周波数抽出部と、
前記揺れ周波数抽出部により抽出された揺れの周波数が前記小型船舶の固有情報に基づき設定される落船判別用周波数値より大きい場合に、乗員が前記小型船舶から落船した状態にあると判別する乗員落船判別部と
を有する、前記小型船舶運航管理システム。
【請求項３】
動力源として船外機を備えた小型船舶における位置情報を送信する小型船舶用運航管理ユニットと、この小型船舶用運航管理ユニットから送信される前記位置情報を取得して前記小型船舶の運航情報を管理する小型船舶運航管理サーバとを有する小型船舶運航管理システムであって、
前記小型船舶用運航管理ユニットが、
前記小型船舶の動静情報を検出する動静情報検出手段と、
前記小型船舶の位置情報を検出する位置情報検出手段と、
前記動静情報および／または前記位置情報を前記小型船舶運航管理サーバに送信する情報通信手段と
を有するとともに、
前記小型船舶用運航管理ユニットまたは前記小型船舶運航管理サーバの少なくともいずれか一方には、
前記動静情報検出手段によって検出された前記動静情報および／または前記位置情報検出手段によって検出された前記位置情報に基づき前記小型船舶の状態を判別する船舶状態判別手段を有し、
前記船舶状態判別手段が、
前記位置情報検出手段から取得した前記位置情報に基づき前記小型船舶の船首方位情報を算出するか、または前記動静情報検出手段から前記小型船舶の船首方位情報を取得する船首方位情報取得部と、
前記位置情報検出手段から取得した前記位置情報に基づき前記小型船舶の進行方向を算出する進行方向算出部と、
前記船首方位情報取得部により算出または取得した船首方位情報と前記進行方向算出部により算出した進行方向との角度差が所定の旋回判別用時間以上連続して所定の旋回判別用角度差値以上である場合に、乗員が落船したことにより舵を失った前記小型船舶が旋回状態にあると判別する乗員落船判別部と
を有する、前記小型船舶運航管理システム。
【請求項４】
た小型船舶における位置情報を送信する小型船舶用運航管理ユニットと、この小型船舶用運航管理ユニットから送信される前記位置情報を取得して前記小型船舶の運航情報を管理する小型船舶運航管理サーバとを有する小型船舶運航管理システムであって、
前記小型船舶用運航管理ユニットが、
前記小型船舶の動静情報を検出する動静情報検出手段と、
前記小型船舶の位置情報を検出する位置情報検出手段と、
前記動静情報および／または前記位置情報を前記小型船舶運航管理サーバに送信する情報通信手段と
を有するとともに、
前記小型船舶用運航管理ユニットまたは前記小型船舶運航管理サーバの少なくともいずれか一方には、
前記動静情報検出手段によって検出された前記動静情報および／または前記位置情報検出手段によって検出された前記位置情報に基づき前記小型船舶の状態を判別する船舶状態判別手段を有し、
前記船舶状態判別手段が、
前記動静情報検出手段から取得した前記小型船舶の加速度情報、振動情報、傾斜情報、船首方位情報および角加速度情報のいずれかの動静情報に基づき動静情報の変化量を算出する動静情報変化量算出部と、
この動静情報変化量算出部により算出された前記動静情報変化量が所定の波浪判別用動静情報変化量値より大きい場合に、前記小型船舶が波浪の中での運航状態にあると判別する波浪運航判別部と
を有する、前記小型船舶運航管理システム。
【請求項５】
動力源として船外機を備えた小型船舶における位置情報を小型船舶運航管理サーバに送信する小型船舶用運航管理ユニットであって、
前記小型船舶の動静情報を検出する動静情報検出手段と、
前記小型船舶の位置情報を検出する位置情報検出手段と、
前記動静情報および／または前記位置情報を前記小型船舶運航管理サーバに送信する情報通信手段と、
前記動静情報検出手段によって検出された前記動静情報および／または前記位置情報検出手段によって検出された前記位置情報に基づき前記小型船舶の状態を判別する船舶状態判別手段とを有し、
前記船舶状態判別手段が、
前記動静情報検出手段から取得した動静情報が所定の停船判別用時間以上連続して所定の停船判別用動静情報値以下である場合に、前記小型船舶が海上における停船状態にあると判別する停船判別部と、
この停船判別部によって停船状態にあると判別された後に、前記動静情報が所定の静止判別用時間以上連続して所定の静止判別用動静情報値以下である場合に、前記小型船舶が帰港後に陸揚げされて静止状態にあると判別する静止判別部と
を有する、前記小型船舶用運航管理ユニット。
【請求項６】
動力源として船外機を備えた小型船舶における位置情報を小型船舶運航管理サーバに送信する小型船舶用運航管理ユニットであって、
前記小型船舶の動静情報を検出する動静情報検出手段と、
前記小型船舶の位置情報を検出する位置情報検出手段と、
前記動静情報および／または前記位置情報を前記小型船舶運航管理サーバに送信する情報通信手段と、
前記動静情報検出手段によって検出された前記動静情報および／または前記位置情報検出手段によって検出された前記位置情報に基づき前記小型船舶の状態を判別する船舶状態判別手段とを有し、
前記船舶状態判別手段が、
前記位置情報検出手段から取得した前記位置情報に基づき前記小型船舶の船首方位情報を算出するか、または前記動静情報検出手段から前記小型船舶の船首方位情報を取得する船首方位情報取得部と、
前記位置情報検出手段から取得した前記位置情報に基づき前記小型船舶の進行方向を算出する進行方向算出部と、
前記船首方位情報取得部により算出または取得した船首方位情報と前記進行方向算出部により算出した進行方向との角度差が所定の旋回判別用時間以上連続して所定の旋回判別用角度差値以上である場合に、乗員が落船したことにより舵を失った前記小型船舶が旋回状態にあると判別する乗員落船判別部と
を有する、前記小型船舶用運航管理ユニット。
【請求項７】
動力源として船外機を備えた小型船舶における位置情報を小型船舶運航管理サーバに送信する小型船舶用運航管理ユニットであって、
前記小型船舶の動静情報を検出する動静情報検出手段と、
前記小型船舶の位置情報を検出する位置情報検出手段と、
前記動静情報および／または前記位置情報を前記小型船舶運航管理サーバに送信する情報通信手段と、
前記動静情報検出手段によって検出された前記動静情報および／または前記位置情報検出手段によって検出された前記位置情報に基づき前記小型船舶の状態を判別する船舶状態判別手段とを有し、
前記船舶状態判別手段が、
前記動静情報検出手段から取得した前記小型船舶の加速度情報、振動情報、傾斜情報、船首方位情報および角加速度情報のいずれかの動静情報に基づき動静情報の変化量を算出する動静情報変化量算出部と、
この動静情報変化量算出部により算出された前記動静情報変化量が所定の波浪判別用動静情報変化量値より大きい場合に、前記小型船舶が波浪の中での運航状態にあると判別する波浪運航判別部と
を有する、前記小型船舶用運航管理ユニット。
【請求項８】
動力源として船外機を備えた小型船舶における位置情報を送信する小型船舶用運航管理ユニットから送信される前記位置情報を取得して前記小型船舶の運航情報を管理する小型船舶運航管理サーバであって、
前記小型船舶の動静情報を検出する動静情報検出手段と、
前記小型船舶の位置情報を検出する位置情報検出手段と、
前記動静情報および／または前記位置情報を前記小型船舶運航管理サーバに送信する情報通信手段とを有する、前記小型船舶用運航管理ユニットから、
前記情報通信手段を介して送信される前記動静情報検出手段によって検出された前記動静情報および／または前記位置情報検出手段によって検出された前記位置情報を受信し、当該動静情報および／または当該位置情報に基づき前記小型船舶の状態を判別する船舶状態判別手段を有し、
前記船舶状態判別手段が、
前記動静情報検出手段から取得した動静情報が所定の停船判別用時間以上連続して所定の停船判別用動静情報値以下である場合に、前記小型船舶が海上における停船状態にあると判別する停船判別部と、
この停船判別部によって停船状態にあると判別された後に、前記動静情報が所定の静止判別用時間以上連続して所定の静止判別用動静情報値以下である場合に、前記小型船舶が帰港後に陸揚げされて静止状態にあると判別する静止判別部と
を有する、前記小型船舶運航管理サーバ。
【請求項９】
動力源として船外機を備えた小型船舶における位置情報を送信する小型船舶用運航管理ユニットから送信される前記位置情報を取得して前記小型船舶の運航情報を管理する小型船舶運航管理サーバであって、
前記小型船舶の動静情報を検出する動静情報検出手段と、
前記小型船舶の位置情報を検出する位置情報検出手段と、
前記動静情報および／または前記位置情報を前記小型船舶運航管理サーバに送信する情報通信手段とを有する、前記小型船舶用運航管理ユニットから、
前記情報通信手段を介して送信される前記動静情報検出手段によって検出された前記動静情報および／または前記位置情報検出手段によって検出された前記位置情報を受信し、当該動静情報および／または当該位置情報に基づき前記小型船舶の状態を判別する船舶状態判別手段を有し、
前記船舶状態判別手段が、
前記位置情報検出手段から取得した前記位置情報に基づき前記小型船舶の船首方位情報を算出するか、または前記動静情報検出手段から前記小型船舶の船首方位情報を取得する船首方位情報取得部と、
前記位置情報検出手段から取得した前記位置情報に基づき前記小型船舶の進行方向を算出する進行方向算出部と、
前記船首方位情報取得部により算出または取得した船首方位情報と前記進行方向算出部により算出した進行方向との角度差が所定の旋回判別用時間以上連続して所定の旋回判別用角度差値以上である場合に、乗員が落船したことにより舵を失った前記小型船舶が旋回状態にあると判別する乗員落船判別部と
を有する、前記小型船舶運航管理サーバ。
【請求項１０】
動力源として船外機を備えた小型船舶における位置情報を送信する小型船舶用運航管理ユニットから送信される前記位置情報を取得して前記小型船舶の運航情報を管理する小型船舶運航管理サーバであって、
前記小型船舶の動静情報を検出する動静情報検出手段と、
前記小型船舶の位置情報を検出する位置情報検出手段と、
前記動静情報および／または前記位置情報を前記小型船舶運航管理サーバに送信する情報通信手段とを有する、前記小型船舶用運航管理ユニットから、
前記情報通信手段を介して送信される前記動静情報検出手段によって検出された前記動静情報および／または前記位置情報検出手段によって検出された前記位置情報を受信し、当該動静情報および／または当該位置情報に基づき前記小型船舶の状態を判別する船舶状態判別手段を有し、
前記船舶状態判別手段が、
前記動静情報検出手段から取得した前記小型船舶の加速度情報、振動情報、傾斜情報、船首方位情報および角加速度情報のいずれかの動静情報に基づき動静情報の変化量を算出する動静情報変化量算出部と、
この動静情報変化量算出部により算出された前記動静情報変化量が所定の波浪判別用動静情報変化量値より大きい場合に、前記小型船舶が波浪の中での運航状態にあると判別する波浪運航判別部と
を有する、前記小型船舶運航管理サーバ。